(57)【特許請求の範囲】
【請求項１】
商品の決済により得られた有価媒体を回収カセットから取り出して収納する有価媒体処理装置であって、
商品の決済を担う決済装置のうち、自装置に前記有価媒体の収納を行う決済装置である対象装置を特定する対象装置情報を設定する対象装置設定手段と、
前記回収カセットに付与された識別情報保持部から当該回収カセットに前記有価媒体を格納した決済装置の識別情報を取得する識別情報取得手段と、
前記識別情報取得手段で取得した前記決済装置の識別情報が前記対象装置情報に含まれている場合に前記有価媒体の収納を可能となるよう制御する制御手段と、
前記有価媒体の収納処理の対象ではない前記決済装置について、例外的に収納を受け付けることを許可する条件に基づいて例外的な収納の受付の可否を判定する例外判定手段と
を備え、
前記制御手段は、前記識別情報取得手段で取得した前記決済装置の識別情報が前記対象装置情報に含まれていない場合であっても、前記例外判定手段によって例外的な収納の受付が可能と判定された場合には、前記有価媒体の収納を可能となるよう制御する
ことを特徴とする有価媒体処理装置。
【請求項２】
前記制御手段は、前記識別情報取得手段で取得した前記決済装置の識別情報が前記対象装置情報に含まれていない場合に収納不可の旨の報知を行うことを特徴とする請求項１に記載の有価媒体処理装置。
【請求項３】
前記制御手段は、前記識別情報取得手段で取得した前記決済装置の識別情報が前記対象装置情報に含まれている場合に前記回収カセットの解錠をすることができる状態にすることを特徴とする請求項１又は２に記載の有価媒体処理装置。
【請求項４】
前記制御手段は、前記識別情報取得手段で取得した前記決済装置の識別情報が前記対象装置情報に含まれている場合に有価媒体を投入する投入口のシャッタを開放して有価媒体を投入可能な状態にすることを特徴とする請求項１、２又は３に記載の有価媒体処理装置。
【請求項５】
商品の決済により得られた有価媒体を回収部から取り出して収納する有価媒体処理装置であって、
商品の決済を担う決済装置のうち、自装置に前記有価媒体の収納を行う決済装置である対象装置を特定する対象装置情報を設定する対象装置設定手段と、
前記回収部に付与された記憶部から当該回収部に前記有価媒体を格納した決済装置の識別情報を取得する識別情報取得手段と、
前記識別情報取得手段で取得した前記決済装置の識別情報が前記対象装置情報に含まれている場合に前記有価媒体の収納を可能となるよう制御する制御手段と
を備え、
前記制御手段は、前記識別情報に対する設定データを前記記憶部に記憶する
ことを特徴とする有価媒体処理装置。
【請求項６】
商品の決済により得られた有価媒体を回収部から取り出して収納する有価媒体処理装置であって、
商品の決済を担う決済装置のうち、自装置に前記有価媒体の収納を行う決済装置である対象装置を特定する対象装置情報を設定する対象装置設定手段と、
前記回収部に付与された記憶部から当該回収部に前記有価媒体を格納した決済装置の識別情報、および前記決済装置の稼働状況にかかる情報を取得する識別情報取得手段と、
前記識別情報取得手段で取得した前記決済装置の識別情報が前記対象装置情報に含まれている場合に前記有価媒体の収納を可能となるよう制御する制御手段と
を備えたことを特徴とする有価媒体処理装置。
【請求項７】
商品の決済を担う決済装置と、前記決済装置から前記決済により得られた有価媒体を収納する有価媒体処理装置とを含む有価媒体処理システムであって、
前記決済装置は、
前記決済装置から取り外し可能な回収カセットに前記決済により得られた有価媒体を格納する格納手段と、
前記回収カセットに付与された識別情報保持部に当該回収カセットに前記有価媒体を格納した決済装置の識別情報を記憶させる識別情報記憶手段とを備え、
前記有価媒体処理装置は、
前記決済装置のうち、自装置に前記有価媒体の収納を行う決済装置である対象装置を特定する対象装置情報を設定する対象装置設定手段と、
前記回収カセットに付与された識別情報保持部から当該回収カセットに前記有価媒体を格納した決済装置の識別情報を取得する識別情報取得手段と、
前記識別情報取得手段で取得した前記決済装置の識別情報が前記対象装置情報に含まれている場合に前記有価媒体の収納を可能となるよう制御する制御手段と、
前記有価媒体の収納処理の対象ではない前記決済装置について、例外的に収納を受け付けることを許可する条件に基づいて例外的な収納の受付の可否を判定する例外判定手段と
を備え、
前記制御手段は、前記識別情報取得手段で取得した前記決済装置の識別情報が前記対象装置情報に含まれていない場合であっても、前記例外判定手段によって例外的な収納の受付が可能と判定された場合には、前記有価媒体の収納を可能となるよう制御する
ことを特徴とする有価媒体処理システム。
【請求項８】
商品の決済により得られた有価媒体を回収カセットから取り出して収納する有価媒体処理方法であって、
商品の決済を担う決済装置のうち、自装置に前記有価媒体の収納を行う決済装置である対象装置を特定する対象装置情報を設定する対象装置設定ステップと、
前記回収カセットに付与された識別情報保持部から当該回収カセットに前記有価媒体を格納した決済装置の識別情報を取得する識別情報取得ステップと、
前記識別情報取得ステップで取得した前記決済装置の識別情報が前記対象装置情報に含まれている場合に前記有価媒体の収納を可能となるよう制御する制御ステップと、
前記有価媒体の収納処理の対象ではない前記決済装置について、例外的に収納を受け付けることを許可する条件に基づいて例外的な収納の受付の可否を判定する例外判定ステップと
を含み、
前記制御ステップは、前記識別情報取得ステップで取得した前記決済装置の識別情報が前記対象装置情報に含まれていない場合であっても、前記例外判定ステップによって例外的な収納の受付が可能と判定された場合には、前記有価媒体の収納を可能となるよう制御する
ことを特徴とする有価媒体処理方法。
【発明の詳細な説明】
【技術分野】
【０００１】
この発明は、百貨店、スーパーマーケット及びショッピングモールなど親会社の直営店と他社のテナント店が入店している複合商業施設において、直営店及びテナント店の売上金を入金する有価媒体処理装置、有価媒体処理システム及び有価媒体処理方法に関する。
【背景技術】
【０００２】
従来、複数の店舗が入店している複合商業施設において、店舗の売上金である貨幣を受け付けて、受け付けた貨幣の真贋判定を行うとともに、受け付けた貨幣の金額を計数して、計数した貨幣を内部の収納部に収納して、収納した貨幣の情報を印字して出力する技術が知られている。
【０００３】
例えば、特許文献１には、カードに記憶された入金操作を行う操作者の識別情報を読み込むカードリーダと、紙幣及び硬貨の真贋判定、計数及び内部の収納部への収納を行う貨幣処理装置と、貨幣処理装置に収納した貨幣の情報を出力するプリンタとを備えて、カードリーダで操作者のＩＤカードから操作者の識別情報を取得して、貨幣処理装置にセットされた貨幣に対して真贋判定及び計数をして収納部への収納を行い、貨幣処理装置に収納された貨幣に係る情報をプリンタに出力する技術が開示されている。
【０００４】
この特許文献１に係る技術を適用した貨幣処理装置を導入すると、入金操作者のカードを読み込むことによって操作者の認証を行ったうえで、複合商業施設内の店舗の売上金の回収を行い、店舗ごとの売上金の管理を適切に行うことができる。
【先行技術文献】
【特許文献】
【０００５】
【特許文献１】特開２０１０−２２４６０９号公報
【発明の概要】
【発明が解決しようとする課題】
【０００６】
しかしながら、大規模な複合商業施設などのケースで貨幣処理装置を複数台設置するような場合には、店舗やレジごとに使用する貨幣処理装置を予め決めて運用することが一般的であるが、予め決められた貨幣処理装置以外の貨幣処理装置でも入金処理が行うことが可能であった。決められた貨幣処理装置以外で入金が行われてしまうと、貨幣処理装置単位で当日入金されているべき金額と、実際に入金されて収納した金額との間に差異が発生することとなってしまい、混乱を招いてしまうこととなる。
【０００７】
このように、店舗やレジごとに予め決められた貨幣処理装置以外の貨幣処理装置における入金を適切に制限できるようにすることが重要な課題となっている。
【０００８】
本発明は、上述した従来技術の課題を解決するためのものであって、取り扱い対象外のレジから持ち込まれた売上金の入金を適切に制限することができる有価媒体処理装置、有価媒体処理システム及び有価媒体処理方法を提供することを目的とする。
【課題を解決するための手段】
【０００９】
上述した課題を解決し、目的を達成するため、本発明は、商品の決済により得られた有価媒体を回収カセットから取り出して収納する有価媒体処理装置であって、商品の決済を担う決済装置のうち、自装置に前記有価媒体の収納を行う決済装置である対象装置を特定する対象装置情報を設定する対象装置設定手段と、前記回収カセットに付与された識別情報保持部から当該回収カセットに前記有価媒体を格納した決済装置の識別情報を取得する識別情報取得手段と、前記識別情報取得手段で取得した前記決済装置の識別情報が前記対象装置情報に含まれている場合に前記有価媒体の収納を可能となるよう制御する制御手段と、前記有価媒体の収納処理の対象ではない前記決済装置について、例外的に収納を受け付けることを許可する条件に基づいて例外的な収納の受付の可否を判定する例外判定手段とを備え、前記制御手段は、前記識別情報取得手段で取得した前記決済装置の識別情報が前記対象装置情報に含まれていない場合であっても、前記例外判定手段によって例外的な収納の受付が可能と判定された場合には、前記有価媒体の収納を可能となるよう制御することを特徴とする。
【００１０】
また、本発明は、上記発明において、前記制御手段は、前記識別情報取得手段で取得した前記決済装置の識別情報が前記対象装置情報に含まれていない場合に収納不可の旨の報知を行うことを特徴とする。
【００１１】
また、本発明は、上記発明において、前記制御手段は、前記識別情報取得手段で取得した前記決済装置の識別情報が前記対象装置情報に含まれている場合に前記回収カセットの解錠をすることができる状態にすることを特徴とする。
【００１２】
また、本発明は、上記発明において、前記制御手段は、前記識別情報取得手段で取得した前記決済装置の識別情報が前記対象装置情報に含まれている場合に有価媒体を投入する投入口のシャッタを開放して有価媒体を投入可能な状態にすることを特徴とする。
【００１３】
また、本発明は、商品の決済により得られた有価媒体を回収部から取り出して収納する有価媒体処理装置であって、商品の決済を担う決済装置のうち、自装置に前記有価媒体の収納を行う決済装置である対象装置を特定する対象装置情報を設定する対象装置設定手段と、前記回収部に付与された記憶部から当該回収部に前記有価媒体を格納した決済装置の識別情報を取得する識別情報取得手段と、前記識別情報取得手段で取得した前記決済装置の識別情報が前記対象装置情報に含まれている場合に前記有価媒体の収納を可能となるよう制御する制御手段とを備え、前記制御手段は、前記識別情報に対する設定データを前記記憶部に記憶することを特徴とする。
また、本発明は、商品の決済により得られた有価媒体を回収部から取り出して収納する有価媒体処理装置であって、商品の決済を担う決済装置のうち、自装置に前記有価媒体の収納を行う決済装置である対象装置を特定する対象装置情報を設定する対象装置設定手段と、前記回収部に付与された記憶部から当該回収部に前記有価媒体を格納した決済装置の識別情報、および前記決済装置の稼働状況にかかる情報を取得する識別情報取得手段と、前記識別情報取得手段で取得した前記決済装置の識別情報が前記対象装置情報に含まれている場合に前記有価媒体の収納を可能となるよう制御する制御手段とを備えたことを特徴とする。
【００１４】
また、本発明は、商品の決済を担う決済装置と、前記決済装置から前記決済により得られた有価媒体を収納する有価媒体処理装置とを含む有価媒体処理システムであって、前記決済装置は、前記決済装置から取り外し可能な回収カセットに前記決済により得られた有価媒体を格納する格納手段と、前記回収カセットに付与された識別情報保持部に当該回収カセットに前記有価媒体を格納した決済装置の識別情報を記憶させる識別情報記憶手段とを備え、前記有価媒体処理装置は、前記決済装置のうち、自装置に前記有価媒体の収納を行う決済装置である対象装置を特定する対象装置情報を設定する対象装置設定手段と、前記回収カセットに付与された識別情報保持部から当該回収カセットに前記有価媒体を格納した決済装置の識別情報を取得する識別情報取得手段と、前記識別情報取得手段で取得した前記決済装置の識別情報が前記対象装置情報に含まれている場合に前記有価媒体の収納を可能となるよう制御する制御手段と、前記有価媒体の収納処理の対象ではない前記決済装置について、例外的に収納を受け付けることを許可する条件に基づいて例外的な収納の受付の可否を判定する例外判定手段とを備え、前記制御手段は、前記識別情報取得手段で取得した前記決済装置の識別情報が前記対象装置情報に含まれていない場合であっても、前記例外判定手段によって例外的な収納の受付が可能と判定された場合には、前記有価媒体の収納を可能となるよう制御することを特徴とする。
【００１５】
また、本発明は、商品の決済により得られた有価媒体を回収カセットから取り出して収納する有価媒体処理方法であって、商品の決済を担う決済装置のうち、自装置に前記有価媒体の収納を行う決済装置である対象装置を特定する対象装置情報を設定する対象装置設定ステップと、前記回収カセットに付与された識別情報保持部から当該回収カセットに前記有価媒体を格納した決済装置の識別情報を取得する識別情報取得ステップと、前記識別情報取得ステップで取得した前記決済装置の識別情報が前記対象装置情報に含まれている場合に前記有価媒体の収納を可能となるよう制御する制御ステップと、前記有価媒体の収納処理の対象ではない前記決済装置について、例外的に収納を受け付けることを許可する条件に基づいて例外的な収納の受付の可否を判定する例外判定ステップとを含み、前記制御ステップは、前記識別情報取得ステップで取得した前記決済装置の識別情報が前記対象装置情報に含まれていない場合であっても、前記例外判定ステップによって例外的な収納の受付が可能と判定された場合には、前記有価媒体の収納を可能となるよう制御することを特徴とする。
【発明の効果】
【００１６】
本発明によれば、取り扱い対象外の決済装置から持ち込まれた売上金の収納を適切に制限することができる。
【図面の簡単な説明】
【００１７】
【図１】図１は、回収カセットに付けたＩＣタグを利用して入出金機での取り扱いを制限する方式の概要を説明するための説明図である。
【図２】図２は、有価媒体処理システムのシステム構成を示す図である。
【図３】図３は、図２に示したＰＯＳレジスタ、硬貨釣銭機及び紙幣釣銭機の外観構成を示す図である。
【図４】図４は、図２に示したＰＯＳレジスタ、硬貨釣銭機及び紙幣釣銭機の本実施例に係る装置内部の物理構成を示す図である。
【図５】図５は、図２に示したＰＯＳレジスタ、硬貨釣銭機及び紙幣釣銭機の本実施例に係る内部構成を示すブロック図である。
【図６】図６は、図２に示した硬貨釣銭機及び紙幣釣銭機の本実施例に係るデータ構成について説明するための説明図である。
【図７】図７は、図２に示した紙幣釣銭機の本実施例に係るＩＣデータのデータ構成を示す図である。
【図８】図８は、図２に示した入出金機の外観構成を示す図である。
【図９】図９は、図２に示した入出金機の本実施例に係る内部構成を示すブロック図である。
【図１０】図１０は、図２に示した入出金機の本実施例に係るデータ構成について説明するための説明図である。
【図１１】図１１は、カセット解錠機及び回収カセットの外観構成を示す図である。
【図１２】図１２は、カセット解錠機を使用して回収カセットを解錠する手順を説明するための説明図である。
【図１３】図１３は、図２に示した入出金機における入金の取り扱い可否の判定処理の処理手順を示すフローチャートである。
【発明を実施するための形態】
【００１８】
以下に、添付図面を参照して、本発明に係る有価媒体処理装置、有価媒体処理システム及び有価媒体処理方法の好適な実施例を詳細に説明する。
【実施例】
【００１９】
まず、回収カセット２０７に付けたＩＣタグ２０７ｃを利用して入出金機４００での取り扱いを制限する方式の概要を図１を用いて説明する。図１は、ショッピングモールなどの複数の店舗が入居する複合商業施設において、営業終了後に売上金を入金する入出金機４００が複数台導入されていて、それぞれのレジに対応する入出金機４００が決まっている場合に、誤った入出金機４００に入金されることを制限することを可能とした有価媒体処理システムの概要を説明するための説明図である。
【００２０】
複合商業施設の店舗にはＰＯＳレジスタ３００と硬貨釣銭機１００と紙幣釣銭機２００とが導入されており、売上金額の管理や貨幣の現物の管理を行っている。店舗では当日の営業が終了すると、硬貨釣銭機１００及び紙幣釣銭機２００から当日の売上金を取り出して出納室に設置されている入出金機４００に入金を行う。硬貨釣銭機１００からは当日の売上金に応じた硬貨に対応する金額を取り出して、紙幣釣銭機２００からは当日の売上金に応じた紙幣に対応する金額を取り出すこととなるが、紙幣については回収カセット２０７に当日の売上金に応じた紙幣に対応する金額を収納させて、回収カセット２０７自体を紙幣釣銭機２００から取り外して出納室に持ち込むことが可能である。
【００２１】
当該回収カセット２０７は施錠された状態で取り出されて、回収カセット２０７の解錠は入出金機４００に接続されたカセット解錠機４０５を使用することによって解錠することができる。また、回収カセット２０７にはＩＣタグ２０７ｃが取り付けられており、当該ＩＣタグ２０７ｃにはレジの識別情報である企業コード、店舗コード、部門コード及びレジ番号の情報を有している。また、入出金機４００は、自装置で取り扱うことのできるレジの識別情報の一覧を有しており、ＩＣタグ２０７ｃから読み取ったレジの識別情報によって取り扱い対象のレジなのか取り扱い対象ではないレンジなのかの判定を行うことが可能である。
【００２２】
入出金機４００に接続されるカセット解錠機４０５は、上位装置からの指示で回収カセット２０７の解錠を行える状態と、回収カセット２０７の解錠を行えない状態とを切り替えることが可能である。また、カセット解錠機４０５は、装填した回収カセット２０７のＩＣタグ２０７ｃの内容を読み取ることができるＩＣタグリーダ４０５ｅを備えている。
【００２３】
次に、レジの識別情報が記憶されたＩＣタグ２０７ｃが取り付けられた回収カセット２０７を持ち込んで入出金機４００で売上金の入金を行う場合に、取り扱い対象ではない入出金機４００での入金を排除する処理の概要を説明する。まず、入出金機４００に接続されたカセット解錠機４０５に回収カセット２０７が装填されたならば、カセット解錠機４０５は回収カセット２０７に取り付けられたＩＣタグ２０７ｃから、レジの識別情報を読み取って入出金機４００に通知する。入出金機４００は、受け付けたレジの識別情報と自装置で取り扱うことのできるレジの識別情報の一覧から、当該識別情報に対するレジの売上金の入金を受け付けるか否かの判定を行い、当該識別情報に対するレジの売上金の入金を受け付け不可の場合には入金が行えないように制御する。
【００２４】
また、当該識別情報に対するレジの売上金の入金を受け付けが可能な場合には、カセット解錠機４０５を使用可能な状態に変更する。これによって、カセット解錠機４０５を用いて回収カセット２０７を解錠することが可能となり、回収カセット２０７が解錠されたならば回収カセット２０７から紙幣の取り出しを行うことができるようになる。次に、入出金機４００は、入金する紙幣及び硬貨を投入する投入口のシャッタを開放し、紙幣及び硬貨の投入を受け付ける。
【００２５】
このようにして開放された、紙幣及び硬貨を投入する投入口に回収カセット２０７から取り出した紙幣や、持ち込んだ硬貨を投入された後に入金処理の開始の操作を受け付けたならば、入出金機４００は、受け付けた紙幣及び硬貨を計数、収納して、入金内容をジャーナル若しくは通帳に出力して入金処理を終了する。
【００２６】
このように、売上金の回収時に使用するカセットにレジの識別情報を持たせて、当該カセットに対して売上金の回収を行い、売上金の入金を行う入出金機４００において当該カセットが有するレジの識別情報を取得して、取得したレジの識別情報に基づいて当該入出金機４００における取り扱いの可否を判定し、取り扱いが可と判定された場合のみ当該入出金機４００で入金を行えるようにしたので、取り扱い対象外のレジから持ち込まれた売上金の入金を適切に制限することができる。
【００２７】
次に、有価媒体処理システムのシステム構成を説明する。図２は、有価媒体処理システムのシステム構成を示す図である。図２は、有価媒体処理システムを複数の店舗の入ったショッピングモールのような複合商業施設へ適用した例である。当該複合商業施設には複数の店舗が入っており、図２に示す企業ａのように同一企業が複数店舗を出店しているようなケースもある。当該複合商業施設に入っている店舗には、店舗の売上金の管理を行うＰＯＳレジスタ３００、硬貨釣銭機１００及び紙幣釣銭機２００が設置されている。それぞれの店舗には、店舗の規模に応じた台数のＰＯＳレジスタ３００、硬貨釣銭機１００及び紙幣釣銭機２００が設置されている。
【００２８】
また、当該複合商業施設内には出納室があって、出納室には売上金を入金したり、釣銭準備金を出金することができる入出金機４００が設置されている。また、規模の大きな複合商業施設には図２に示すように複数の出納室を設置することが可能で、その場合には店舗をエリアなどによってグループ分けを行い、１つのグループに対して１つの出納室を対応付けるようにしている。また、当該複合商業施設内には店舗サーバ５００が設置されていて、当該店舗サーバ５００は通信回線によって複合商業施設内の全てのＰＯＳレジスタ３００と接続されており、当該ＰＯＳレジスタ３００から送信されてくる売上情報の管理を行う。
【００２９】
図２の例は、当該複合商業施設には、企業ａ、企業ｂ、企業ｃ、企業ｇ及び企業ｈが出店しており、企業ａは店舗ａ、店舗ｄ、店舗ｅ及び店舗ｆを出店し、企業ｂは店舗ｂを出店し、企業ｃは店舗ｃを出店し、企業ｇは店舗ｇを出店し、企業ｈは店舗ｈを出店していることを示している。また、図２の例は、当該複合施設は２つのグループに分けられていて、出納室ａに対応するグループａには店舗ａ、店舗ｂ、店舗ｃ及び店舗ｄが含まれていて、出納室ｂに対応するグループｂには店舗ｅ、店舗ｆ、店舗ｇ及び店舗ｈが含まれていることを示している。
【００３０】
それぞれの店舗には１セット若しくは複数セットのＰＯＳレジスタ３００、硬貨釣銭機１００及び紙幣釣銭機２００が設置されている。ＰＯＳレジスタ３００は、商品の販売時に販売した商品の識別情報と数量を受け付けて顧客へ請求する合計金額を算出するとともに、算出した合計金額の表示やレシートの発行を行う。硬貨釣銭機１００及び紙幣釣銭機２００は、顧客から預かった硬貨及び紙幣を受け付けて計数を行い、金種別の枚数若しくは金額をＰＯＳレジスタ３００に通知する。また、ＰＯＳレジスタ３００は、硬貨釣銭機１００及び紙幣釣銭機２００から受け付けた顧客からの預かった金額と、ＰＯＳレジスタ３００が算出した顧客へ請求する合計金額とを用いて、釣銭を算出して、硬貨釣銭機１００及び紙幣釣銭機２００に釣銭の払い出しの指示を送信する。ＰＯＳレジスタ３００からの払い出しの指示を受け付けた硬貨釣銭機１００及び紙幣釣銭機２００は、受け付けた指示内容に応じて釣銭の払い出しを行う。
【００３１】
次に、閉店時などに行う店舗の売上金の回収について説明する。ＰＯＳレジスタ３００からの売上金の回収の操作を行うと、ＰＯＳレジスタ３００から硬貨釣銭機１００及び紙幣釣銭機２００に対して売上金回収の指示が通知される。売上金回収の指示を受け付けると硬貨釣銭機１００及び紙幣釣銭機２００は当日の売上金に対応する金額の回収動作を実行する。
【００３２】
具体的には、硬貨釣銭機１００は、当日の売上金の硬貨に対応する金額の払い出しを行う。紙幣釣銭機２００は、当日の売上金の硬貨に対応する端数金額を除いた金額を紙幣釣銭機２００の取り外し可能な回収カセット２０７に搬送して収納する。また、本回収動作については硬貨釣銭機１００及び紙幣釣銭機２００の設定によっては、金種ごとに所定の適切な枚数を翌日の釣銭準備金として残すものとしてもよい。そのような設定がされている場合には、売上金回収の指示を受け付けた硬貨釣銭機１００は、内部に収納されている硬貨のうち金種ごとに所定の枚数を残して、これを超える硬貨の払い出しを行う。また、売上金回収の指示を受け付けた紙幣釣銭機２００は、内部に収納されている紙幣のうち金種ごとの所定の枚数を残して、これを超える紙幣を取り外し可能な回収カセット２０７に搬送することとなる。
【００３３】
当該店舗の店員は、硬貨釣銭機１００から払い出された硬貨と、紙幣釣銭機２００から取り外した回収カセット２０７とを店舗に応じた出納室に持ち込んで、入出金機４００において持ち込んだ硬貨及び紙幣の入金を行う。入出金機４００では、持ち込んだ店員や店舗及びレジを識別及び認証して、硬貨及び紙幣を受け付けて収納するとともに、受け付けた内容をジャーナルとして出力する。また、入出金機４００は、紙幣釣銭機２００から取り出した回収カセット２０７の解錠を行うカセット解錠機４０５が接続されており、カセット解錠機４０５を用いて回収カセット２０７の解錠を行うことによって、回収カセット２０７に収納された紙幣を取り出すことが可能となる。
【００３４】
次に、図２に示したＰＯＳレジスタ３００、硬貨釣銭機１００及び紙幣釣銭機２００の外観構成を説明する。図３は、ＰＯＳレジスタ３００、硬貨釣銭機１００及び紙幣釣銭機２００の外観構成を示す図である。
【００３５】
店舗には１セット又は複数セットの硬貨釣銭機１００と、紙幣釣銭機２００と、ＰＯＳレジスタ３００とを備えている。硬貨釣銭機１００及び紙幣釣銭機２００は、それぞれ硬貨や紙幣の入出金処理を行う。図３に示すように、硬貨釣銭機１００及び紙幣釣銭機２００は左右方向に並べて配置される。また、ＰＯＳレジスタ３００は、並べて配置された硬貨釣銭機１００及び紙幣釣銭機２００の上面に載置される。
【００３６】
図３に示すようにＰＯＳレジスタ３００は、硬貨釣銭機１００や紙幣釣銭機２００における硬貨や紙幣の処理状況や、硬貨釣銭機１００や紙幣釣銭機２００の内部に収納された硬貨や紙幣の在高を表示する表示部３０２と、ＰＯＳレジスタ３００に対する様々な入力操作を受け付ける操作部３０４と、表示部３０２に表示する内容の一部や表示部３０２とは異なる内容を表示する追加表示部３０２ａとを有する。
【００３７】
また、硬貨釣銭機１００は、前部上面にタッチパネル等の操作表示部１１２を有する筐体１１０を備えている。筐体１１０の前部には硬貨受入部１１４及び硬貨払出部１１６が設けられている。硬貨受入部１１４は、受け入れた硬貨を１層１列状態で１枚ずつ機体内に取り込む。
【００３８】
また、紙幣釣銭機２００は、筐体２１０の前面には、紙幣受入口２１４ａと、紙幣取出口２１６ａとを備えている。また、売上金の回収時に使用する回収カセット２０７は筐体２１０に対して着脱自在に取り付けられている。また、払い出そうとした紙幣のうち、識別することができなかった紙幣を収納する出金リジェクト部２０４を備える。また、紙幣受入口２１４ａから機体内に取り込まれた紙幣のうち、汚損等により識別することができない紙幣は入金リジェクト紙幣として紙幣取出口２１６ａに返却される。
【００３９】
次に、図２に示したＰＯＳレジスタ３００、硬貨釣銭機１００及び紙幣釣銭機２００の本実施例に係る装置内部の物理構成を図４を用いて説明する。
【００４０】
ＰＯＳレジスタ３００は、表示部３０２、操作部３０４及びＰＯＳレジスタ全体を制御する制御部３３０を有している。制御部３３０は、通信回線を介して店舗サーバ５００に接続されており、売上金情報等が送信されるようになっている。また、ＰＯＳレジスタ３００の制御部３３０は、紙幣釣銭機２００の制御部２３０と通信回線によって接続されている。また、硬貨釣銭機１００の制御部１３０と紙幣釣銭機２００の制御部２３０も互いに通信回線によって接続されている。ＰＯＳレジスタ３００は、紙幣釣銭機２００との通信回線を通して、紙幣釣銭機２００からの情報及び紙幣釣銭機２００を経由して硬貨釣銭機１００からの情報を取得する。また、ＰＯＳレジスタ３００は、通信回線を通して紙幣釣銭機２００及び紙幣釣銭機２００を通して硬貨釣銭機１００に対する指示を行うことができる。
【００４１】
硬貨釣銭機１００の筐体１１０の前部に設けられている硬貨受入部１１４は、受け入れた硬貨を１層１列状態で１枚ずつ機体内に取り込むようになっている。硬貨受入部１１４には、当該硬貨受入部１１４により機体内に取り込まれた硬貨を搬送する入金搬送部１０３が接続されている。
【００４２】
この入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ搬送する。
【００４３】
一方、正常硬貨等の機体内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。出金搬送部１０８は、硬貨収納部１０６から繰り出された硬貨を硬貨払出部１１６へ搬送する。また、出金搬送部１０８は、分岐部１０４から搬送されたリジェクト硬貨等を硬貨払出部１１６へ搬送する。
【００４４】
紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、及び回収カセット２０７が、周回搬送部２０３ａから外周を取り囲むように配置されている。
【００４５】
また、紙幣釣銭機２００の筐体２１０の内部には、紙幣受入部２１４、紙幣収納部２０６、紙幣払出部２１６、出金リジェクト部２０４、及び回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行う。また、周回搬送部２０３ａと接続搬送部２０３ｂとの間で紙幣の搬送経路を切り換える経路切換部（図示せず）が、周回搬送部２０３ａに沿って配置されている。
【００４６】
紙幣受入部２１４は、紙幣受入口２１４ａに挿入された入金紙幣を１枚ずつ取り込んで、周回搬送部２０３ａ側へ繰り出すようになっている。紙幣収納部２０６は、紙幣識別部２０１の識別結果に基づいて紙幣を金種別に収納する。紙幣払出部２１６は、紙幣収納部２０６から周回搬送部２０３ａに繰り出された紙幣を紙幣取出口２１６ａより機外へ放出する。
【００４７】
出金リジェクト部２０４は、紙幣収納部２０６から繰り出された紙幣のうち、斜行等により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却される。
【００４８】
次に、図２に示したＰＯＳレジスタ３００、硬貨釣銭機１００及び紙幣釣銭機２００の本実施例に係る内部構成を説明する。図５は、ＰＯＳレジスタ３００、硬貨釣銭機１００及び紙幣釣銭機２００の本実施例に係る内部構成を示すブロック図である。
【００４９】
図５に示すように、硬貨釣銭機１００は、通信部１３２、硬貨受入部１１４、入金搬送部１０３、硬貨識別部１０１、分岐部１０４、硬貨収納部１０６、出金搬送部１０８、硬貨払出部１１６、操作表示部１１２、記憶部１３４及び制御部１３０を備えている。通信部１３２は、通信回線を通して紙幣釣銭機２００とのデータ通信を行うためのインタフェース部である。紙幣釣銭機２００は、同様にしてＰＯＳレジスタ３００とも通信回線を通してデータ通信を行っており、紙幣釣銭機２００を経由することによって、硬貨釣銭機１００は、ＰＯＳレジスタ３００とのデータ通信を行うこともできる。
【００５０】
硬貨受入部１１４は、入金する硬貨の受付を行う。入金搬送部１０３は、硬貨受入部１１４で受け付けた硬貨を硬貨識別部１０１、分岐部１０４を経由して硬貨収納部１０６への搬送を行う。硬貨識別部１０１は、入金搬送部１０３によって搬送されてきた硬貨の真偽及び正損の判定を行う。分岐部１０４は、硬貨識別部１０１の真偽及び正損の識別結果に応じて、搬送されてきた硬貨を硬貨払出部１１６に続く出金搬送部１０８若しくは硬貨収納部１０６に続く入金搬送部１０３のいずれかに分岐させる。真貨であり且つ正貨と識別された場合には、分岐部１０４は搬送されてきた硬貨を硬貨収納部１０６に続く入金搬送部１０３に振り分ける。また、偽貨若しくは損貨と識別された場合には、分岐部１０４は搬送されてきた硬貨を硬貨払出部１１６に続く出金搬送部１０８に振り分ける。
【００５１】
硬貨収納部１０６は、硬貨の入金処理で真貨であり且つ正貨と識別された硬貨を収納する収納部である。また、硬貨の出金処理では、当該硬貨収納部１０６から硬貨を繰り出して払い出しを行う。出金搬送部１０８は、硬貨の出金処理において硬貨収納部１０６から繰り出された硬貨を硬貨払出部１１６に搬送する。また、出金搬送部１０８は、硬貨識別部１０１によって偽貨若しくは損貨と識別された場合に、分岐部１０４から分岐により受け付けた偽貨若しくは損貨と識別された硬貨を硬貨払出部１１６に搬送する。硬貨払出部１１６は、釣銭として出金する硬貨若しくは硬貨識別部１０１によって偽貨若しくは損貨と識別された返却する硬貨を払い出す口である。
【００５２】
操作表示部１１２は、硬貨釣銭機１００や紙幣釣銭機２００における硬貨や紙幣の処理状況や、硬貨釣銭機１００や紙幣釣銭機２００の内部に収納された硬貨や紙幣の在高などの情報を表示する出力部である。
【００５３】
記憶部１３４は、ハードディスク装置や不揮発性メモリ等の記憶デバイスであり、硬貨設定データ１３４ａ及び硬貨処理実績データ１３４ｂを有する。硬貨設定データ１３４ａは、硬貨釣銭機１００の処理に係るパラメータである。硬貨処理実績データ１３４ｂは、当該硬貨釣銭機１００の過去の処理実績を蓄積したデータである。
【００５４】
制御部１３０は、硬貨釣銭機１００の全体を制御する制御部であり、入出金処理部１３０ａ、設定データ受付部１３０ｂ及び回収処理部１３０ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。入出金処理部１３０ａは、硬貨の入金処理及び出金処理全体を制御する処理部である。また、入出金処理部１３０ａは、硬貨入出金の実績を硬貨処理実績データ１３４ｂに蓄積する。設定データ受付部１３０ｂは、紙幣釣銭機２００から硬貨釣銭機１００の処理に係るパラメータを受け付けたならば、受け付けた内容で硬貨設定データ１３４ａを更新する。回収処理部１３０ｃは、紙幣釣銭機２００を経由してＰＯＳレジスタ３００から回収の指示を受け付けた場合、若しくは操作表示部１１２の操作による回収の指示を受け付けた場合に硬貨の回収処理を行う。
【００５５】
図５に示すように、紙幣釣銭機２００は、通信部２３２、紙幣受入部２１４、周回搬送部２０３ａ、接続搬送部２０３ｂ、紙幣識別部２０１、紙幣収納部２０６、出金リジェクト部２０４、紙幣払出部２１６、回収カセット２０７、ＩＣタグリーダライタ２０９、記憶部２３４及び制御部２３０を備えている。通信部２３２は、通信回線を通してＰＯＳレジスタ３００及び硬貨釣銭機１００とのデータ通信を行うためのインタフェース部である。
【００５６】
紙幣受入部２１４は、入金する紙幣の受付を行う。周回搬送部２０３ａは、紙幣受入部２１４から繰り出した紙幣を紙幣収納部２０６に続く接続搬送部２０３ｂか、回収カセット２０７に続く接続搬送部２０３ｂか、紙幣払出部２１６に続く接続搬送部２０３ｂのいずれかに選択的に搬送する。また、周回搬送部２０３ａは、紙幣収納部２０６から繰り出した紙幣を出金リジェクト部２０４に続く接続搬送部２０３ｂか、回収カセット２０７に続く接続搬送部２０３ｂか、紙幣払出部２１６に続く接続搬送部２０３ｂのいずれかに選択的に搬送する。接続搬送部２０３ｂは、周回搬送部２０３ａと紙幣収納部２０６、回収カセット２０７、紙幣払出部２１６、出金リジェクト部２０４若しくは紙幣受入部２１４とを結ぶ紙幣の搬送処理部である。
【００５７】
紙幣識別部２０１は、周回搬送部２０３ａ上にあって、紙幣の真偽及び正損の識別を行う。紙幣収納部２０６は、紙幣の入金処理で真券であり且つ正券と識別された紙幣を収納する収納部である。また、紙幣の出金処理では、当該紙幣収納部２０６から紙幣を繰り出して払い出しを行う。出金リジェクト部２０４は、紙幣の出金処理において紙幣収納部２０６から繰り出された紙幣のうち、紙幣識別部２０１で偽券若しくは損券と識別された紙幣を収納するボックスである。紙幣払出部２１６は、紙幣の出金処理において紙幣収納部２０６から繰り出された紙幣のうち、紙幣識別部２０１で真券であり且つ正券と識別された紙幣を払い出す口である。また、紙幣払出部２１６は、紙幣の入金処理において紙幣識別部２０１で偽券若しくは損券と識別された紙幣を返却する口である。
【００５８】
回収カセット２０７は、ＰＯＳレジスタ３００から回収の指示を受け付けた場合、若しくは硬貨釣銭機１００の操作表示部１１２の操作による回収の指示を受け付けた場合に、紙幣収納部２０６に収納されている紙幣を搬送する先である。当該回収指示によって、紙幣釣銭機２００内の売上金は回収カセット２０７に集められ、当該回収カセット２０７を抜き取ることによって売上金の回収を行うことができる。また、回収カセット２０７の底部にはＩＣタグ２０７ｃが取り付けられており、当該ＩＣタグ２０７ｃの中にはＩＣデータ２０７ｄが記憶されている。ＩＣタグリーダライタ２０９は、回収カセット２０７の底部に取り付けられたＩＣタグ２０７ｃのＩＣデータ２０７ｄに対する読み書きを行うための入出力部である。
【００５９】
記憶部２３４は、ハードディスク装置や不揮発性メモリ等の記憶デバイスであり、紙幣設定データ２３４ａ及び紙幣処理実績データ２３４ｂを有する。紙幣設定データ２３４ａは、紙幣釣銭機２００の処理に係るパラメータである。紙幣処理実績データ２３４ｂは、当該紙幣釣銭機２００の過去の処理実績を蓄積したデータである。
【００６０】
制御部２３０は、紙幣釣銭機２００の全体を制御する制御部であり、入出金処理部２３０ａ、設定データ受付部２３０ｂ及び回収処理部２３０ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。入出金処理部２３０ａは、紙幣の入金処理及び出金処理全体を制御する処理部である。また、入出金処理部２３０ａは、紙幣入出金の実績を紙幣処理実績データ２３４ｂに蓄積する。設定データ受付部２３０ｂは、回収カセット２０７のＩＣデータ２０７ｄを読むことによって紙幣釣銭機２００及び硬貨釣銭機１００の処理に係るパラメータを受け付けたならば、受け付けた紙幣釣銭機２００の処理に係るパラメータで紙幣設定データ２３４ａを更新し、硬貨釣銭機１００の処理に係るパラメータは硬貨釣銭機１００に送信する。回収処理部２３０ｃは、ＰＯＳレジスタ３００から回収の指示を受け付けた場合、若しくは硬貨釣銭機１００の操作表示部１１２の操作による回収の指示を受け付けた場合に紙幣の回収処理を行う。
【００６１】
次に、硬貨釣銭機１００に硬貨を入金する場合の動作について以下に説明する。入出金処理部１３０ａは、硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。入出金処理部１３０ａは、硬貨識別部１０１による硬貨の識別結果に基づいて、リジェクト硬貨等の硬貨払出部１１６から払い出されるべき硬貨であると識別された硬貨は、分岐部１０４により出金搬送部１０８へ搬送し、出金搬送部１０８により硬貨払出部１１６に搬送する。一方、硬貨識別部１０１による硬貨の識別結果に基づいて、正常硬貨等の機体内に収納されるべき硬貨であると識別された硬貨は、入金搬送部１０３により硬貨収納部１０６へ搬送し、当該硬貨収納部１０６に金種別に収納する。
【００６２】
また、硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００から紙幣釣銭機２００経由で出金指示が硬貨釣銭機１００に送られると、硬貨釣銭機１００から釣銭としての硬貨が出金される。硬貨釣銭機１００の入出金処理部１３０ａに対して出金指示が与えられると、硬貨収納部１０６に収納されている硬貨が繰り出され、繰り出された硬貨は出金搬送部１０８により硬貨払出部１１６へ搬送される。このようにして、操作者は、硬貨払出部１１６から硬貨を取り出すことができるようになる。
【００６３】
次に、紙幣釣銭機２００に紙幣を入金する場合の動作について以下に説明する。入出金処理部２３０ａは、紙幣受入部２１４の紙幣受入口２１４ａに紙幣が挿入されると、紙幣受入部２１４は、紙幣受入口２１４ａに挿入された入金紙幣を１枚ずつ取り込んで、周回搬送部２０３ａ側へ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納する。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００６４】
また、紙幣釣銭機２００から釣銭としての紙幣を出金する場合には、操作者は操作表示部１１２により出金されるべき紙幣の金種別の枚数や合計金額等を入力する。あるいは、ＰＯＳレジスタ３００から出金指示が紙幣釣銭機２００に送られると、紙幣釣銭機２００から釣銭としての紙幣が出金される。紙幣釣銭機２００の入出金処理部２３０ａに対して出金指示が与えられると、紙幣収納部２０６に収納されている紙幣が繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、操作者は、紙幣釣銭機２００から出金された紙幣を得ることができるようになる。なお、紙幣収納部２０６から繰り出された紙幣のうち、斜行等により紙幣識別部２０１で識別することができない紙幣は、出金リジェクト紙幣として出金リジェクト部２０４に収納される。
【００６５】
次に、店舗の営業終了後、あるいは営業中の所定のタイミングに行われる精算処理時において硬貨釣銭機１００や紙幣釣銭機２００から売上金としての紙幣や硬貨を回収する際の動作について説明する。
【００６６】
精算処理時において硬貨釣銭機１００や紙幣釣銭機２００から売上金としての紙幣や硬貨を回収する際には、操作者はＰＯＳレジスタ３００の操作部３０４により売上金の回収を行うことを指示する。また、ＰＯＳレジスタ３００の操作部３０４を操作する代わりに、操作者が硬貨釣銭機１００の操作表示部１１２を操作することにより、売上金の回収を行うことを指示することができるようになっていてもよい。ＰＯＳレジスタ３００の操作部３０４若しくは硬貨釣銭機１００の操作表示部１１２による売上金の回収の指示を受け付けると、硬貨釣銭機１００の回収処理部１３０ｃは、硬貨設定データ１３４ａに設定されている残置枚数を超える硬貨を全て硬貨払出部１１６に払い出す。また、紙幣釣銭機２００の回収処理部２３０ｃは、紙幣設定データ２３４ａに設定されている残置枚数を超える紙幣を全て回収カセット２０７に搬送する。本実施例では、硬貨設定データ１３４ａ及び紙幣設定データ２３４ａに売上金回収処理に係るパラメータに予め残置する金種ごとの枚数を設定し、当該パラメータに応じた回収処理を行うものとしたが、本発明はこれに限定されない。例えば、回収処理に複数の回収パターンを設け、それぞれの回収パターンに対する処理内容を事前に設定しておいて、ＰＯＳレジスタ３００の操作部３０４若しくは硬貨釣銭機１００の操作表示部１１２から回収処理の処理パターンを指定できるようにしてもよい。
【００６７】
次に、図２に示した硬貨釣銭機１００及び紙幣釣銭機２００の本実施例に係るデータ構成について説明する。図６は、硬貨釣銭機１００及び紙幣釣銭機２００の本実施例に係るデータ構成について説明するための説明図である。
【００６８】
硬貨設定データ１３４ａは、硬貨のニアエンプティ閾値枚数と残置枚数とを有する。ニアエンプティ閾値枚数は、ニアエンプティであることの注意メッセージの表示を行う硬貨の金種ごとの下限枚数である。また、残置枚数は、回収処理時に硬貨釣銭機１００に残す硬貨の金種ごとの枚数である。
【００６９】
図６の硬貨設定データ１３４ａの例は、ニアエンプティ閾値枚数は、５００円貨が「２５」枚で、１００円貨が「１００」枚で、５０円貨が「２５」枚で、１０円貨が「１００」枚で、５円貨が「２５」枚で、１円貨が「１００」枚で、残置枚数は、５００円貨が「５０」枚で、１００円貨が「２００」枚で、５０円貨が「５０」枚で、１０円貨が「２００」枚で、５円貨が「５０」枚で、１円貨が「２００」枚であることを示している。
【００７０】
硬貨処理実績データ１３４ｂは、硬貨の入金実績枚数と出金実績枚数とを有する。入金実績枚数とは、当該硬貨釣銭機１００で導入以降に入金された金種ごとの枚数である。出金実績枚数とは、当該硬貨釣銭機１００で導入以降に出金された金種ごとの枚数である。
【００７１】
図６の硬貨処理実績データ１３４ｂは、入金実績枚数は、５００円貨が「９００」枚で、１００円貨が「４８００」枚で、５０円貨が「１２００」枚で、１０円貨が「５１００」枚で、５円貨が「１３００」枚で、１円貨が「４９００」枚で、出金実績枚数は、５００円貨が「１７００」枚で、１００円貨が「９５００」枚で、５０円貨が「２５００」枚で、１０円貨が「１０１００」枚で、５円貨が「２５００」枚で、１円貨が「９６００」枚であることを示している。
【００７２】
紙幣設定データ２３４ａは、紙幣のニアエンプティ閾値枚数と残置枚数とを有する。ニアエンプティ閾値枚数は、ニアエンプティであることの注意メッセージの表示を行う紙幣の金種ごとの下限枚数である。また、残置枚数は、回収処理時に紙幣釣銭機２００に残す紙幣の金種ごとの枚数である。
【００７３】
図６の紙幣設定データ２３４ａの例は、ニアエンプティ閾値枚数は、万円券が「０」枚で、五千円券が「１０」枚で、千円券が「５０」枚で、残置枚数は、万円券が「０」枚で、五千円券が「２０」枚で、千円券が「１００」枚であることを示している。
【００７４】
紙幣処理実績データ２３４ｂは、紙幣の入金実績枚数と出金実績枚数とを有する。入金実績枚数とは、当該紙幣釣銭機２００で導入以降に入金された金種ごとの枚数である。出金実績枚数とは、当該紙幣釣銭機２００で導入以降に出金された金種ごとの枚数である。
【００７５】
図６の紙幣処理実績データ２３４ｂは、入金実績枚数は、万円券が「２３００」枚で、五千円券が「８００」枚で、千円券が「３８００」枚で、出金実績枚数は、万円券が「１０」枚で、五千円券が「６５０」枚で、千円券が「２９００」枚であることを示している。
【００７６】
次に、図２に示した紙幣釣銭機２００の本実施例に係るＩＣデータ２０７ｄのデータ構成を説明する。図７は、紙幣釣銭機２００の本実施例に係るＩＣデータ２０７ｄのデータ構成を示す図である。
【００７７】
ＩＣデータ２０７ｄは、レジ識別情報、設定データ及び処理実績枚数を有する。レジ識別データは、当該回収カセット２０７に対応するレジを識別する情報であり、当該レジの企業コード、店舗コード、部門コード及びレジ番号を有する。また、設定データは、当該回収カセット２０７が、入出金機４００にセットされた時に書き込まれる情報であり、当該回収カセット２０７が、紙幣釣銭機２００にセットされた場合には、ＩＣデータ２０７ｄの内容が読み込まれて紙幣釣銭機２００の紙幣設定データ２３４ａと硬貨釣銭機１００の硬貨設定データ１３４ａとに反映される。設定データには、金種別のニアエンプティ閾値枚数と、回収処理時の金種別の残置枚数とを有する。また、処理実績枚数は、回収処理が行われた時に硬貨釣銭機１００の硬貨処理実績データ１３４ｂと、紙幣釣銭機２００の紙幣処理実績データ２３４ｂとを吸い上げたデータであり、入出金機４００に持ち込んだ時には、当該ＩＣデータ２０７ｄを読み込むことによって入出金機４００に取り込まれるデータである。
【００７８】
図７のＩＣデータ２０７ｄの例は、レジ識別情報は、企業コードが「００１」で、店舗コードが「０１０」で、部門コードが「００２」で、レジ番号が「１０」であることを示している。また、設定データの金種ごとのニアエンプティ閾値枚数は、万円券が「０」枚で、五千円券が「１０」枚で、千円券が「５０」枚で、５００円貨が「２５」枚で、１００円貨が「１００」枚で、５０円貨が「２５」枚で、１０円貨が「１００」枚で、５円貨が「２５」枚で、１円貨が「１００」枚であることを示している。また、回収処理時の金種ごとの残置枚数は、万円券が「０」枚で、五千円券が「２０」枚で、千円券が「１００」枚で、５００円貨が「５０」枚で、１００円貨が「２００」枚で、５０円貨が「５０」枚で、１０円貨が「２００」枚で、５円貨が「５０」枚で、１円貨が「２００」枚であることを示している。また、処理実績枚数の入金実績枚数は、万円券が「２３００」枚で、五千円券が「８００」枚で、千円券が「３８００」枚で、５００円貨が「９００」枚で、１００円貨が「４８００」枚で、５０円貨が「１２００」枚で、１０円貨が「５１００」枚で、５円貨が「１３００」枚で、１円貨が「４９００」枚であることを示している。また、処理実績枚数の出金実績枚数は、万円券が「１０」枚で、五千円券が「６５０」枚で、千円券が「２９００」枚で、５００円貨が「１７００」枚で、１００円貨が「９５００」枚で、５０円貨が「２５００」枚で、１０円貨が「１０１００」枚で、５円貨が「２５００」枚で、１円貨が「９６００」枚であることを示している。
【００７９】
次に、図２に示した入出金機４００の外観構成を説明する。図８は、入出金機４００の外観構成を示す図である。
【００８０】
表示部４０１は、液晶ディスプレイなどの表示部であり、入出金機４００の操作に係るメニューや画面の表示等を行う。操作部４０２は、キーボードなどの入力部である。ＩＤカードリーダ４０３は、入出金操作を行う人を識別するＩＤカードの磁気テープを読み込む入力部である。ジャーナル印字部４０４は、入出金機４００で行った処理内容を示すジャーナルを印刷する出力部である。カセット解錠機４０５は、閉店後などに店舗から持ち込まれた売上金が収集された回収カセット２０７をセットすることによって回収カセット２０７の鍵を解錠する機器である。通帳プリンタ４０９は、入出金機４００で行った処理内容を通帳の形状をした出力媒体に印刷する出力部である。
【００８１】
紙幣受付部４２１は、入金する紙幣を投入する口である。硬貨受付部４３１は、入金する紙幣を投入する口である。また、包装硬貨受付部４４１は、入金する包装硬貨を投入する口である。
【００８２】
次に、図２に示した入出金機４００の本実施例に係る内部構成を説明する。図９は、入出金機４００の本実施例に係る内部構成を示すブロック図である。図９に示すように、入出金機４００には、レジの売上金を回収する回収カセット２０７の鍵を解錠するカセット解錠機４０５と、通帳の印字を行う通帳プリンタ４０９とを接続することが可能である。
【００８３】
また、入出金機４００は、表示部４０１、操作部４０２、ＩＤカードリーダ４０３、ジャーナル印字部４０４、通信部４０６、紙幣制御部４２０、硬貨制御部４３０、包装硬貨制御部４４０、記憶部４０７及び制御部４０８を有する。通信部４０６は、他の入出金機４００とデータ通信を行うためのインタフェース部である。
【００８４】
紙幣制御部４２０は、図８に示した紙幣受付部４２１と、紙幣受付部４２１で受け付けた紙幣を搬送する紙幣搬送部４２２と、紙幣搬送部４２２によって搬送された紙幣の真偽及び正損の判定を行う紙幣判別部４２３とを有する。また、硬貨制御部４３０は、図８に示した硬貨受付部４３１と、硬貨受付部４３１で受け付けた硬貨を搬送する硬貨搬送部４３２と、硬貨搬送部４３２によって搬送された硬貨の真偽及び正損の判定を行う硬貨判別部４３３とを有する。また、包装硬貨制御部４４０は、図８に示した包装硬貨受付部４４１と、包装硬貨受付部４４１で受け付けた包装硬貨を搬送する包装硬貨搬送部４４２と、包装硬貨搬送部４４２によって搬送された包装硬貨の真偽の判定を行う包装硬貨判別部４４３とを有する。
【００８５】
記憶部４０７は、ハードディスク装置や不揮発性メモリ等からなる記憶デバイスである。記憶部４０７は、入出金機番号４０７ａ、取扱レジデータ４０７ｂ、レジ設定データ４０７ｃ及びレジ稼働状況データ４０７ｄを有する。
【００８６】
入金機番号４０７ａは、複合商業施設内に設置される複数の入出金機４００を識別する自装置の識別情報である。取扱レジデータ４０７ｂは当該入出金機４００で取り扱うことのできるレジの識別情報の一覧データである。レジ設定データ４０７ｃは、レジごとの設定データである硬貨設定データ１３４ａ及び紙幣設定データ２３４ａの、全てのレジに対応するデータである。レジ稼働状況データ４０７ｄは、レジごとの稼働実績データであり、回収カセット２０７のＩＣタグ２０７ｃを通じて硬貨処理実績データ１３４ｂ及び紙幣処理実績データ２３４ｂを吸い上げたデータである。
【００８７】
制御部４０８は、入出金機４００を全体制御する制御部であり、入出金機情報設定部４０８ａ、レジ情報設定部４０８ｂ、入金処理部４０８ｃ及びレジ稼働状況管理部４０８ｄを有する。実際には、この機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００８８】
入出金機情報設定部４０８ａは、当該入出金機４００で取り扱うことのできるレジの識別情報の一覧データである取扱レジデータ４０７ｂの設定及び管理を行う処理部である。
【００８９】
レジ情報設定部４０８ｂは、複合商業施設内の全てのレジの設定データであるレジ設定データ４０７ｃの登録管理を行う処理部である。親機の入出金機４００のレジ情報設定部４０８ｂによって、レジ設定データ４０７ｃの登録が行われ、さらにレジ情報設定部４０８ｂは登録したレジ設定データ４０７ｃを子機の入出金機４００に配信する。子機の入出金機４００のレジ情報設定部４０８ｂは、親機から受け付けた登録されたレジの設定データを受け付けて自装置内のレジ設定データ４０７ｃの更新を行う。また、レジ情報設定部４０８ｂは、入金処理時等にカセット解錠機４０５に回収カセット２０７がセットされると、回収カセット２０７のＩＣデータ２０７ｄから回収カセット２０７に対応するレジの識別情報を取得して、取得した識別情報に対するレジ設定データ４０７ｃのレコードでＩＣデータ２０７ｄの中の設定データを更新する。
【００９０】
入金処理部４０８ｃは、入金処理の全体を制御する処理部である。入金処理部４０８ｃは、まずＩＤカードリーダ４０３による担当者カードの読み込みの受付を行う。担当者の認証が行われたならば、次にレジの識別情報の受付を行う。レジの識別情報は、操作部４０２の入力でも受け付けることができるが、回収カセット２０７を持ち込んでいる場合は、回収カセット２０７をカセット解錠機４０５にセットすることによって、回収カセット２０７の底部に取り付けられたＩＣタグ２０７ｃのＩＣデータ２０７ｄに含まれるレジ識別情報を読み取ることによってレジの識別情報の受付を行うことができる。
【００９１】
入金処理部４０８ｃは、レジの識別情報を受け付けると、受け付けた識別情報のレジが当該入出金機４００の取り扱い対象のレジか否かを取扱レジデータ４０７ｂを参照することによって判定する。入金処理部４０８ｃは、受け付けた識別情報のレジが取り扱い対象のレジであると判定した場合には、カセット解錠機４０５を使用可能な状態にするとともに、入出金機４００の紙幣受付部４２１、硬貨受付部４３１及び包装硬貨受付部４４１のシャッタを開けて、紙幣、硬貨及び包装硬貨の投入が可能な状態にする。カセット解錠機４０５は、回収カセット２０７をセットして、奥側に回収カセット２０７を手動で押し込むことによって回収カセット２０７の解錠が行えるが、待機中の状態では奥側に押し込むことができないように電磁ロックがかかった状態となっている。「カセット解錠機４０５を使用可能な状態にする」とは、この電磁ロックを解除することによって奥側に押し込むことができる状態にすることを示している。
【００９２】
操作者はカセット解錠機４０５を利用して回収カセット２０７に収められた紙幣を取り出して、取り出した紙幣を紙幣受付部４２１に投入して、持ち込んだ硬貨及び包装硬貨を硬貨受付部４３１及び包装硬貨受付部４４１に投入して入金処理開始の指示操作を行う。入金処理部４０８ｃは、入金処理開始の指示を受け付けると、投入された紙幣、硬貨及び包装硬貨の計数を行って、入出金機４００の内部の収納部に収納する。入金処理部４０８ｃは、受け付けた紙幣、硬貨及び包装硬貨の収納が行われると、入金された金額などの情報をジャーナルとしてジャーナル印字部４０４で出力する。また、通帳プリンタ４０９が接続されている場合には、通帳プリンタ４０９にて入金された金額の情報などを通帳に印字する。
【００９３】
レジ稼働状況管理部４０８ｄは、入金処理時等にカセット解錠機４０５に回収カセット２０７がセットされると、回収カセット２０７のＩＣデータ２０７ｄからレジ識別情報と処理実績枚数とを読み取って、レジ稼働状況データ４０７ｄのＩＣデータ２０７ｄから読み取ったレジ識別情報に対応するレジの稼働状況の更新を行う。これによって、レジ稼働状況データ４０７ｄには、取り扱い対象の全てのレジの稼働状況が収集される。レジ稼働状況管理部４０８ｄは、レジ稼働状況データ４０７ｄに基づいてレジの稼働状況を出力することが可能である。さらに、レジ稼働状況データ４０７ｄは、レジ稼働状況データ４０７ｄの情報を活用することによって、例えば同一店舗、同一部門内に複数のレジが設置されている場合などに、レジ稼働率の平準化のために翌日稼働させるレジを自動で選定して、その結果を出力することも可能である。
【００９４】
次に、図２に示した入出金機４００の本実施例に係るデータ構成について説明する。図１０は、入出金機４００の本実施例に係るデータ構成について説明するための説明図である。
【００９５】
取扱レジデータ４０７ｂは、レジの識別情報である企業コード、店舗コード、部門コード及びレジ番号と、当該識別情報のレジを取り扱う入出金機４００の入出金機番号と、当該入出金機番号以外の入出金機４００で例外的に取り扱うことの可否の情報とを１レコードの項目とするデータである。図１０の取扱レジデータ４０７ｂの例は、企業コードが「００１」で、店舗コードが「０１０」で、部門コードが「００２」で、レジ番号が「１０」のレジは、入出金機番号が「０１」の入出金機４００で取り扱うこととなっており、入出金機番号が「０１」以外の入出金機４００での例外取り扱いが「可」であることを示している。また、企業コードが「００５」で、店舗コードが「００１」で、部門コードが「００１」で、レジ番号が「０１」のレジは、入出金機番号が「０２」の入出金機４００で取り扱うこととなっており、入出金機番号が「０２」以外の入出金機４００での例外取り扱いが「不可」であることを示している。
【００９６】
レジ設定データ４０７ｃは、レジの識別情報である企業コード、店舗コード、部門コード及びレジ番号に対応付けて、当該識別情報のレジに対する設定データを１レコードの項目とするデータである。設定データは、当該レジにおける金種ごとのニアエンプティを判定する下限閾値であるニアエンプティ閾値枚数と、当該レジにおける売上金回収時に翌日の釣銭用に硬貨釣銭機１００及び紙幣釣銭機２００に残置する金種ごとの残置枚数とを有する。
【００９７】
図１０のレジ設定データ４０７ｃの例は、企業コードが「００１」で、店舗コードが「０１０」で、部門コードが「００２」で、レジ番号が「１０」のレジは、ニアエンプティ閾値枚数は、万円券が「０」枚で、五千円券が「１０」枚で、千円券が「５０」枚で、５００円貨が「２５」枚で、１００円貨が「１００」枚で、５０円貨が「２５」枚で、１０円貨が「１００」枚で、５円貨が「２５」枚で、１円が「１００」枚であり、残置枚数は、万円券が「０」枚で、五千円券が「２０」枚で、千円券が「１００」枚で、５００円貨が「５０」枚で、１００円貨が「２００」枚で、５０円貨が「５０」枚で、１０円貨が「２００」枚で、５円貨が「５０」枚で、１円貨が「２００」枚であることを示している。
【００９８】
レジ稼働状況データ４０７ｄは、レジの識別情報である企業コード、店舗コード、部門コード及びレジ番号に対応付けて、当該識別情報のレジに対する処理実績データを１レコードの項目とするデータである。処理実績データは、当該レジにおける金種ごとの入金実績枚数と金種ごとの出金実績枚数とを有する。
【００９９】
図１０のレジ稼働状況データ４０７ｄの例は、企業コードが「００１」で、店舗コードが「０１０」で、部門コードが「００２」で、レジ番号が「１０」のレジは、入金実績枚数は、万円券が「２３００」枚で、五千円券が「８００」枚で、千円券が「３８００」枚で、５００円貨が「９００」枚で、１００円貨が「４８００」枚で、５０円貨が「１２００」枚で、１０円貨が「５１００」枚で、５円貨が「１３００」枚で、１円が「４９００」枚であり、出金実績枚数は、万円券が「１０」枚で、五千円券が「６５０」枚で、千円券が「２９００」枚で、５００円貨が「１７００」枚で、１００円貨が「９５００」枚で、５０円貨が「２５００」枚で、１０円貨が「１０１００」枚で、５円貨が「２５００」枚で、１円貨が「９６００」枚であることを示している。
【０１００】
次に、カセット解錠機４０５及び回収カセット２０７の外観構成を説明する。図１１は、カセット解錠機４０５及び回収カセット２０７の外観構成を示す図である。
【０１０１】
図１１（ａ）に示すように、カセット解錠機４０５は、回収カセット２０７を装填することができ、当該回収カセット２０７をセットして奥側に押し込むことができるスライドベース部４０５ａと、回収カセット２０７の押し込みを規制したりその規制を解除したりすることができ、スライド可能なカバー部４０５ｂと、回収カセット２０７を解錠するためのロック解錠部４０５ｃと、回収カセット２０７の状態等の所定の情報を表示する表示部４０５ｄと、回収カセット２０７の底面に取り付けられたＩＣタグ２０７ｃの内容を読み込むことのできるＩＣタグリーダ４０５ｅを有している。ロック解錠部４０５ｃは、その内部にキーを有しており、回収カセット２０７を奥側に押し込むことに連動してキーが回動されて、回収カセット２０７のロック部のロックが解錠されることとなる。
【０１０２】
また、待機状態ではカバー部４０５ｂは電磁ロックがかかった状態であり、スライドベース部４０５ａを奥側に押し込むことはできない。カセット解錠機４０５は、制御部４０８からの電磁ロック解除の信号を受け付けるとカバー部４０５ｂの電磁ロックの解除を行う、これによってスライドベース部４０５ａを奥側に押し込むことができるようになる。
【０１０３】
回収カセット２０７は、短手方向であって水平方向に延在する揺動軸を有し、回収カセット２０７の上方筐体部２０７ａは下方筐体部２０７ｂに対して当該搖動軸を中心に上下方向に搖動自在となっている（図１２（ｄ）参照）。なお、回収カセット２０７は、施錠されているときには、回収カセット２０７の上方筐体部２０７ａは下方筐体部２０７ｂに対して搖動軸を中心として搖動することができないが、解錠されることで上方筐体部２０７ａが搖動軸を中心として上下方向に搖動することができるようになる。そして、上方筐体部２０７ａが上方に搖動されることで、回収カセット２０７内に収容された紙幣を取り出すことができるようになる。
【０１０４】
次に、カセット解錠機４０５を使用して回収カセット２０７を解錠する手順を図１２を用いて説明する。
【０１０５】
図１２（ａ）は、カセット解錠機４０５に回収カセット２０７を装填する位置関係を示した図である。カセット解錠機４０５のスライドベース部４０５ａに回収カセット２０７の下方筐体部２０７ｂの底面が接するようにセットすることによって回収カセット２０７をカセット解錠機４０５に装填する。そのようにして装填した図が、図１２（ｂ）である。
【０１０６】
図１２（ｂ）に示すように回収カセット２０７がカセット解錠機４０５のスライドベース部４０５ａに装填されると、ＩＣタグリーダ４０５ｅによってＩＣタグ２０７ｃのＩＣデータ２０７ｄが読み込まれる。入金処理部４０８ｃは、ＩＣタグリーダ４０５ｅによって読み込んだＩＣデータ２０７ｄ中のレジの識別情報と取扱レジデータ４０７ｂの情報とに基づいて、取り扱うことのできるレジであるか否かの判定を行う。当該判定の結果が取り扱うことのできるレジに対する回収カセット２０７であるとの判定の場合には、入金処理部４０８ｃは、カセット解錠機４０５に使用許可の信号を送る。使用許可の信号を受け付けたカセット解錠機４０５は、カバー部４０５ｂの電磁ロックを解除することによってカセット解錠機４０５を使用可能な状態とし、回収カセット２０７を奥側に押し込むことができるようになる。
【０１０７】
次に、図１２（ｃ）に示すように、スライドベース部４０５ａに装填された回収カセット２０７を奥側に押し込むと、この押し込む動作によって回収カセット２０７のロック部にロック解錠部４０５ｃの内部にあるキーが挿入され、さらに押し込む動作と連動してキーが回動されてロック部のロックが解錠される。ロックが解錠されることによって、図１２（ｄ）に示すように、回収カセット２０７の上方筐体部２０７ａを上方に搖動することが可能となる。回収カセット２０７の上方筐体部２０７ａを上方に搖動することによって、回収カセット２０７内に収容された貨幣を取り出すことができるようになる。なお、このようにして回収カセット２０７が奥側に押し込まれて回収カセット２０７が解錠されると、表示部４０５ｄには解錠中の旨の表示が行われる。
【０１０８】
次に、図２に示した入出金機４００における入金の取り扱い可否の判定処理の処理手順を説明する。図１３は、入出金機４００における入金の取り扱い可否の判定処理の処理手順を示すフローチャートである。
【０１０９】
入金処理部４０８ｃは、入金を行う担当者の認証として担当者のＩＤカードの読み取りを行う（ステップＳ１０１）。ＩＤカードから読み取った情報に基づいて担当者の認証及び当該担当者の入金を行う権限の有無の判定を行って、担当者の認証ができない場合若しくは認証ができたとしても当該担当者が入金を行う権限がないと判定された場合（ステップＳ１０２；Ｎｏ）にはステップ１０１に戻る。
【０１１０】
担当者の認証ができて入金を行う権限もあると判定された場合（ステップＳ１０２；Ｙｅｓ）には、入金処理部４０８ｃは、カセット解錠機４０５に回収カセット２０７をセットするか、操作部４０２を使用してレジの識別情報を入力するか、いずれかの操作によってレジの識別情報の入力を行う旨のメッセージ表示を行う（ステップＳ１０３）。回収カセット２０７がカセット解錠機４０５に装填された場合（ステップＳ１０４；Ｙｅｓ）には、入金処理部４０８ｃは、カセット解錠機４０５に指示することによってＩＣタグリーダ４０５ｅによって回収カセット２０７のＩＣデータ２０７ｄのレジ識別情報の読み取りを行う（ステップＳ１０５）。回収カセット２０７がカセット解錠機４０５に装填されなくて（ステップＳ１０４；Ｎｏ）、操作部４０２によるレジの識別情報の入力を受け付けた場合（ステップＳ１０６；Ｙｅｓ）には、ステップＳ１０７に移行する。回収カセット２０７がカセット解錠機４０５に装填されなくて（ステップＳ１０４；Ｎｏ）、操作部４０２によるレジの識別情報の入力も受け付けていない場合（ステップＳ１０６；Ｎｏ）には、ステップＳ１０４に戻る。
【０１１１】
次に、回収カセット２０７のＩＣタグ２０７ｃの読み込み若しくは操作部４０２による入力によって受け付けたレジの識別情報で、取扱レジデータ４０７ｂを検索して受け付けた識別情報に対応するレジが当該入出金機４００で取り扱い対象のレジか否かの判定を行い（ステップＳ１０７）、取り扱い対象のレジである場合（ステップＳ１０７；Ｙｅｓ）で、カセット解錠機４０５に回収カセット２０７が装填されている場合（ステップＳ１０８；Ｙｅｓ）には、レジ情報設定部４０８ｂは、レジ設定データ４０７ｃの当該レジに対するレコードの情報で、回収カセット２０７のＩＣデータ２０７ｄの設定データの情報を更新する（ステップＳ１０９）。また、レジ稼働状況管理部４０８ｄは、回収カセット２０７のＩＣデータ２０７ｄの処理実績枚数の情報を読み込んで、レジ稼働状況データ４０７ｄの当該レジに対応するレコードの内容を更新する（ステップＳ１１０）。また、入金処理部４０８ｃは、カセット解錠機４０５に対して使用可能な状態への移行の指示を行うことによってカバー部４０５ｂの電磁ロックを解除する（ステップＳ１１１）。また、カセット解錠機４０５に回収カセット２０７が装填されていない場合（ステップＳ１０８；Ｎｏ）には、ステップＳ１０９〜ステップＳ１１１の処理をスキップしてステップＳ１１２に移行する。
【０１１２】
入金処理部４０８ｃは、紙幣受付部４２１、硬貨受付部４３１及び包装硬貨受付部４４１のシャッタを開放して、紙幣受付部４２１、硬貨受付部４３１及び包装硬貨受付部４４１への貨幣の投入が可能な状態にする（ステップＳ１１２）。入金処理部４０８ｃは、紙幣受付部４２１、硬貨受付部４３１及び包装硬貨受付部４４１へ投入された貨幣の計数を行って、入出金機４００の内部の収納部に収納し、入金された金額などの情報をジャーナル及び通帳に出力して（ステップＳ１１３）、処理を終了する。
【０１１３】
また、ステップＳ１０７の判定において当該レジが取り扱い対象のレジではない場合（ステップＳ１０７；Ｎｏ）には、取扱レジデータ４０７ｂの情報から当該レジが本来の入出金機４００以外の他の入出金機４００で例外的に取り扱うことが可能なレジであるか否かの判定を行い（ステップＳ１１４）、本来の入出金機４００以外の他の入出金機４００で例外的に取り扱うことの可能なレジである場合（ステップＳ１１４；Ｙｅｓ）には、入金処理部４０８ｃは、例外的な取り扱いを行うための他の条件を満たしているかどうかの判定を行って（ステップＳ１１５）、例外的な取り扱いを行うための他の条件を満たしている場合（ステップＳ１１６；Ｙｅｓ）にはステップＳ１０８に移行する。また、取扱レジデータ４０７ｂの情報から当該レジが本来の入出金機４００以外の他の入出金機４００で例外的に取り扱うことが不可能なレジである場合（ステップＳ１１４；Ｎｏ）、及び例外的に取り扱うことが可能なレジであっても例外的な取り扱いを行うための他の条件を満たしていない場合（ステップＳ１１６；Ｎｏ）には、入金処理部４０８ｃは、当該レジの入金は取り扱うことができない旨のメッセージを表示して（ステップＳ１１７）、処理を終了する。
【０１１４】
上述してきたように、本実施例では、売上金の回収時に使用するカセットにレジの識別情報を持たせて、当該カセットに対して売上金の回収を行い、売上金の入金を行う入金機において当該カセットが有するレジの識別情報を取得して、取得したレジの識別情報に基づいて当該入金機における取り扱いの可否を判定し、取り扱いが可と判定された場合のみ当該入金機で入金を行えるよう構成したので、取り扱い対象外のレジから持ち込まれた売上金の入金を適切に制限することができる。
【０１１５】
なお、上述の本実施例では、回収カセット２０７は、入出金機４００のカセット解錠機４０５に装填することによってロック部の解錠のみを行って内部に収納されている紙幣の入出金機４００への投入は、人の手で実施するものとしたが本発明はこれに限定するものではない。例えば、回収カセット２０７には内部に収納されている紙幣を繰り出すことのできる機構を備えて、入出金機４００は回収カセット２０７が繰り出した紙幣を受け付けて入金処理が行えるようになっていてもよい。また、回収カセット２０７は回収する紙幣のみを収納するものとしたが、例えば紙幣と硬貨の両方を収納できるような回収カセットで有ってもかまわない。また、例えば硬貨用の回収カセットを設けてもよい。
【０１１６】
また、上述の本実施例では、入出金機４００おいて売上金の入金処理を行う際には入金処理だけを行う例の説明をしてきたが本発明はこれに限定されるものではない。例えば、売上金の入金処理に引き続いて翌日の釣銭準備金の出金処理を行ってもよい。また、回収カセット２０７が紙幣の取込の機能を備えている場合には、回収カセット２０７に釣銭準備金の出金を行うようにしてもよい。
【０１１７】
また、上述の本実施例では、回収カセット２０７にＩＣタグ２０７ｃを取り付けて当該ＩＣタグ２０７ｃに記憶させたレジの識別情報を読み込むことによって、レジの識別情報を取得するものとして説明してきたが、本発明はこれに限定されるものではない。例えばレジカードのＩＣに記憶させたレジの識別情報若しくは通帳の磁気ストライプに記憶させたレジの識別情報を読み込むことによって、レジの識別情報を取得するものとしてもよい。
【０１１８】
また、上述の本実施例では、レジの識別情報を取得して取得した識別情報に対応するレジの入金の可否の判定を行って、入金の受付可能な場合にはカセット解錠機４０５を使用可能な状態にするとともに入出金機４００の紙幣受付部４２１、硬貨受付部４３１及び包装硬貨受付部４４１のシャッタを開放するものとしたが、本発明はこれに限定されるものではない。例えば、入金処理が不可であることのメッセージを表示部４０１に表示して、入金操作ができないように画面制御してもよい。
【０１１９】
また、上述の実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１２０】
以上のように、本発明に係る有価媒体処理装置、有価媒体処理システム及び有価媒体処理方法は、取り扱い対象外のレジから持ち込まれた売上金の入金を適切に制限することに適している。
【符号の説明】
【０１２１】
１００  硬貨釣銭機
１０１  硬貨識別部
１０３  入金搬送部
１０４  分岐部
１０６  硬貨収納部
１０８  出金搬送部
１１０、２１０  筐体
１１２  操作表示部
１１４  硬貨受入部
１１６  硬貨払出部
１３０、２３０、３３０、４０８  制御部
１３０ａ、２３０ａ  入出金処理部
１３０ｂ、２３０ｂ  設定データ受付部
１３０ｃ、２３０ｃ  回収処理部
１３２、２３２、３３２、４０６  通信部
１３４、２３４、３３４、４０７  記憶部
１３４ａ  硬貨設定データ
１３４ｂ  硬貨処理実績データ
２００  紙幣釣銭機
２０１  紙幣識別部
２０３ａ  周回搬送部
２０３ｂ  接続搬送部
２０４  出金リジェクト部
２０６  紙幣収納部
２０７  回収カセット
２０７ａ  上方筐体部
２０７ｂ  下方筐体部
２０７ｃ  ＩＣタグ
２０７ｄ  ＩＣデータ
２０９  ＩＣタグリーダライタ
２１４  紙幣受入部
２１４ａ  紙幣受入口
２１６  紙幣払出部
２１６ａ  紙幣取出口
２３４ａ  紙幣設定データ
２３４ｂ  紙幣処理実績データ
３００  ＰＯＳレジスタ
３０２、４０１、４０５ｄ  表示部
３０２ａ  追加表示部
３０４、４０２  操作部
４００  入出金機
４０３  ＩＤカードリーダ
４０４  ジャーナル印字部
４０５  カセット解錠機
４０５ａ  スライドベース部
４０５ｂ  カバー部
４０５ｃ  ロック解錠部
４０５ｅ  ＩＣタグリーダ
４０７ａ  入金機番号
４０７ｂ  取扱レジデータ
４０７ｃ  レジ設定データ
４０７ｄ  レジ稼働状況データ
４０８ａ  入出金機情報設定部
４０８ｂ  レジ情報設定部
４０８ｃ  入金処理部
４０８ｄ  レジ稼働状況管理部
４０９  通帳プリンタ
４２０  紙幣制御部
４２１  紙幣受付部
４２２  紙幣搬送部
４２３  紙幣判別部
４３０  硬貨制御部
４３１  硬貨受付部
４３２  硬貨搬送部
４３３  硬貨判別部
４４０  包装硬貨制御部
４４１  包装硬貨受付部
４４２  包装硬貨搬送部
４４３  包装硬貨判別部
５００  店舗サーバ
【図１】
0006452984.tif 000002
【図２】
0006452984.tif 000003
【図３】
0006452984.tif 000004
【図４】
0006452984.tif 000005
【図５】
0006452984.tif 000006
【図６】
0006452984.tif 000007
【図７】
0006452984.tif 000008
【図８】
0006452984.tif 000009
【図９】
0006452984.tif 000010
【図１０】
0006452984.tif 000011
【図１１】
0006452984.tif 000012
【図１２】
0006452984.tif 000013
【図１３】
0006452984.tif 000014